(57)【要約】【課題】加水分解後の繊維体にエアロゲル前駆体を担持したゲルシートから、水分と低融点繊維の残渣とを有効に取り除くことを可能にする置換洗浄容器と、この置換洗浄容器を利用した置換洗浄装置とを提供する。【解決手段】容器本体２と、蓋体３と、ゲルシートの上辺を係止するフック４２を有するハンガー４とを具備し、容器本体２は、複数本のハンガー４を所定の間隔で配置可能なハンガー支持部材２１が形成され、各ハンガー４の下側に保持したゲルシート５を収納可能な大きさとなされ、ハンガー４の一端側上部と他端側下部とには分岐管２２が設けられ、分岐管２２は、容器本体２の外部から有機溶媒を供給および排出する給排管２２ａ，２３ａが設けられ、容器本体２内に向けて、長手方向に沿って所定の間隔で複数の有機溶媒給排口２２ｂ，２３ｂが設けられてなる置換洗浄容器１である。【選択図】  図１
2011190548.tif 000002
【特許請求の範囲】
【請求項１】
繊維体に含浸させたゾル溶液を加水分解して、繊維体にエアロゲル前駆体を担持したゲルシートとした後、このゲルシートに含有される水分を有機溶媒で置換洗浄する際に使用する容器であって、
上面が開口した容器本体と、この容器本体の開口部を閉塞する蓋体と、ゲルシートの上辺を係止または挟持する保持部を有するハンガーとを具備し、
容器本体は、開口部近傍に複数本のハンガーを平行して所定の間隔で配置可能なハンガー支持部が形成されるとともに、各ハンガーの下側に保持したゲルシートを収納可能な大きさとなされ、ハンガーの一端側であって、このハンガーと直行する面の上辺部分と、ハンガーの他端側であって、このハンガーと直行する面の下辺部分とには、これら上辺および下辺に沿って分岐管がそれぞれ設けられ、
これら分岐管には、容器本体外部から有機溶媒を供給または排出する給排管が設けられるとともに、容器本体内に向けて、長手方向に沿って複数の有機溶媒給排口が設けられてなることを特徴とする置換洗浄容器。
【請求項２】
有機溶媒給排口は、ハンガーの下側に保持された各ゲルシートの間隙に位置するように設けられた請求項１記載の置換洗浄容器。
【請求項３】
請求項１または２記載の置換洗浄容器と、有機溶媒タンクと、洗浄後の有機溶媒を蒸留再生する蒸留再生装置とを具備し、
有機溶媒タンクは、置換洗浄容器の上部の給排管と下部の給排管とにそれぞれ接続され、有機溶媒タンクからの有機溶媒を置換洗浄容器内に供給循環させることができるようになされ、
蒸留再生装置は、有機溶媒タンクとの間に設けられ、有機溶媒タンク内の有機溶媒を再生した後、有機溶媒タンクに戻すようになされたことを特徴とする置換洗浄装置。
【請求項４】
請求項１または２記載の置換洗浄容器と、有機溶媒タンクと、洗浄後の有
機溶媒を蒸留再生する蒸留再生装置と、再生有機溶媒タンクとを具備し、
有機溶媒タンクは、置換洗浄容器の上部の給排管と下部の給排管とにそれぞれ接続され、有機溶媒タンクからの有機溶媒を置換洗浄容器内に供給循環させることができるようになされ、
蒸留再生装置は、有機溶媒タンクと再生有機溶媒タンクとの間に設けられ、有機溶媒タンク内の有機溶媒を再生した後、再生有機溶媒タンクに戻すようになされ、
再生有機溶媒タンクは、有機溶媒タンクの減量分を有機溶媒タンクに供給するようになされたことを特徴とする置換洗浄装置。
【請求項５】
請求項３または４記載の置換洗浄装置において、さらに乾燥室を具備し、
乾燥室で乾燥した際に発生する蒸気を蒸留再生装置に排出して、この蒸気から有機溶媒を回収するとともに、乾燥室は、置換洗浄容器のハンガーをそのまま内部に収納して内部に、置換洗浄したゲルシートを吊り下げ可能となされたことを特徴とする置換洗浄装置。
【発明の詳細な説明】
【技術分野】
【０００１】
本発明は、繊維体にエアロゲルが担持されたエアロゲルシートの製造工程において使用される置換洗浄容器と、この置換洗浄容器を使用した置換洗浄装置に関するものである。
【背景技術】
【０００２】
従来より、エアロゲルを生成する方法として、エアロゲル製造用に調製されたゾル溶液を加水分解反応させてゲル化し、この加水分解の際に発生した水分を有機溶媒で置換洗浄した後、このゲルを臨界点未満の温度および圧力で乾燥させてエアロゲルを得ることが開示されている（特許文献１参照）。
【０００３】
この場合、加水分解後のエアロゲルは、厚みを有する塊状に形成した場合、内部まで充分に置換洗浄ができなくなってしまう。しかし、置換洗浄し易いように薄いシート状にした場合は、脆く崩れてしまう。
【０００４】
一方、シート状にしても保形性が得られるように、ゾル溶液を繊維体に含浸させた後、加水分解反応させてゲル化し、繊維体にエアロゲルを担持させたエアロゲルシートとすることが提案されている（特許文献２）。
【０００５】
しかし、繊維体にエアロゲルを担持させたエアロゲルシートの場合、加水分解反応やその後の超臨界乾燥などで繊維構造体が破壊されてしまうため、置換洗浄を行う以前に、良好なエアロゲルシートにはなっていなかった。
【先行技術文献】
【特許文献】
【０００６】
【特許文献１】国際公開２００７／０１０９４９号公報
【特許文献２】特開２００４−３４１０１９４号公報
【発明の開示】
【発明が解決しようとする課題】
【０００７】
そこで本発明者は、融点の異なる２種類の繊維が絡み合った繊維体を使用し、加水分解反応時に低融点の繊維を積極的に溶融させてエアロゲルが生成・分散するスペースを確保してエアロゲルシートを製造する方法を提案した。この方法の場合、低融点の繊維が溶融した部分にエアロゲルが生成するため、残った高融点の繊維体にエアロゲルが充分に分散した三次元網目構造の状態となる。
【０００８】
しかし、この方法でエアロゲルシートを製造する場合、加水分解によって発生する水分と、溶融してしまった低融点繊維の残渣とを取り除く必要があり、それに好適な置換洗浄容器が必要となる。
【０００９】
本発明は、係る実情に鑑みてなされたものであって、繊維体にエアロゲル前駆体を担持したゲルシートから、水分と低融点繊維の残渣とを有効に取り除くことを可能にする置換洗浄容器と、この置換洗浄容器を利用した置換洗浄装置とを提供することを目的としている。
【課題を解決するための手段】
【００１０】
上記課題を解決するための本発明の置換洗浄容器は、繊維体に含浸させたゾル溶液を加水分解して、繊維体にエアロゲル前駆体を担持したゲルシートとした後、このゲルシートに含有される水分を有機溶媒で置換洗浄する際に使用する容器であって、上面が開口した容器本体と、この容器本体の開口部を閉塞する蓋体と、ゲルシートの上辺を係止または挟持する保持部を有するハンガーとを具備し、容器本体は、開口部近傍に複数本のハンガーを平行して所定の間隔で配置可能なハンガー支持部が形成されるとともに、各ハンガーの下側に保持したゲルシートを収納可能な大きさとなされ、ハンガーの一端側であって、このハンガーと直行する面の上辺部分と、ハンガーの他端側であって、このハンガーと直行する面の下辺部分とには、これら上辺および下辺に沿って分岐管がそれぞれ設けられ、これら分岐管には、容器本体外部から有機溶媒を供給または排出する給排管が設けられるとともに、容器本体内に向けて、長手方向に沿って複数の有機溶媒給排口が設けられてなるものである。
【００１１】
また、上記置換洗浄容器において、有機溶媒給排口は、ハンガーの下側に保持された各ゲルシートの間隙に位置するように設けられたものであってもよい。
【００１２】
上記課題を解決するための本発明の置換洗浄装置は、上記置換洗浄容器と、有機溶媒タンクと、洗浄後の有機溶媒を蒸留再生する蒸留再生装置とを具備し、有機溶媒タンクは、置換洗浄容器の上部の給排管と下部の給排管とにそれぞれ接続され、有機溶媒タンクからの有機溶媒を置換洗浄容器内に供給循環させることができるようになされ、蒸留再生装置は、有機溶媒タンクとの間に設けられ、有機溶媒タンク内の有機溶媒を再生した後、有機溶媒タンクに戻すようになされたものである。
【００１３】
また、上記課題を解決するための本発明の置換洗浄装置は、上記置換洗浄容器と、有機溶媒タンクと、洗浄後の有機溶媒を蒸留再生する蒸留再生装置と、再生有機溶媒タンクとを具備し、有機溶媒タンクは、置換洗浄容器の上部の給排管と下部の給排管とにそれぞれ接続され、有機溶媒タンクからの有機溶媒を置換洗浄容器内に供給循環させることができるようになされ、蒸留再生装置は、有機溶媒タンクと再生有機溶媒タンクとの間に設けられ、有機溶媒タンク内の有機溶媒を再生した後、再生有機溶媒タンクに戻すようになされ、再生有機溶媒タンクは、有機溶媒タンクの減量分を有機溶媒タンクに供給するようになされたものである。
【００１４】
さらに、上記課題を解決するための本発明の置換洗浄装置は、上記置換洗浄装置において、さらに乾燥室を具備し、乾燥室で乾燥した際に発生する蒸気を蒸留再生装置に排出して、この蒸気から有機溶媒を回収するとともに、乾燥室は、置換洗浄容器のハンガーをそのまま内部に収納して内部に、置換洗浄したゲルシートを吊り下げ可能となされたものである。
【発明の効果】
【００１５】
以上述べたように、本発明によると、容器本体内に収納したゲルシートの両面で、シート面に沿って有機溶媒を供給循環させて置換洗浄を効率良く行うことができる。また、ゲルシートのシート面に沿って有機溶媒を供給循環させることができるので、繊維体に担持されたエアロゲル前駆体に形成されている細孔を破壊することなく、置換洗浄することができる。
【図面の簡単な説明】
【００１６】
【図１】本発明に係る置換洗浄容器の蓋体を除く全体構成の概略を示す斜視図である。
【図２】本発明に係る置換洗浄容器の全体構成の概略を示す断面図である。
【図３】図２のI-I線断面図である。
【図４】図２のII-II線断面図である。
【図５】本発明に係る置換洗浄装置の全体構成の概略を示すブロック図である。
【図６】本発明に係る置換洗浄装置の他の実施の形態を示すブロック図である。
【図７】本発明に係る置換洗浄装置のさらに他の実施の形態を示すブロック図である。
【図８】本発明に係るの置換洗浄装置のさらに他の実施の形態を示すブロック図である。
【図９】図８に示す置換洗浄装置で用いられている乾燥室の内部構成の概略を示す断面図である。
【発明を実施するための形態】
【００１７】
以下、本発明の実施の形態を図面を参照して説明する。
【００１８】
図１ないし図４は、本発明に係るエアロゲルシートの置換洗浄容器１を示し、図５は同置換洗浄容器１を用いた置換洗浄装置１０の全体構成を示している。
【００１９】
すなわち、この置換洗浄容器１は、容器本体２と、蓋体３と、ハンガー４とを具備して構成され、加水分解後のゲルシート５に含有される水分や反応残渣を有機溶媒で置換洗浄する際に使用される。
【００２０】
容器本体２は、長さ約１２００ｍｍ、幅約５００ｍｍの矩形底面で、高さ約１２００ｍｍの有底矩形状に形成され上面が開口されている。この容器本体２の幅方向に沿った側面２ａ，２ｂの開口部２０近傍の位置には、幅方向に沿ってハンガー支持部材２１が設けられている。このハンガー支持部材２１は、容器本体２の長さ方向に沿って、容器本体２内にハンガー４を収納した際に、ハンガー４の両端部が支持される溝部２１ａを形成した長尺の部材で、幅方向に沿って等間隔で複数の溝部２１ａが設けられている。ハンガー支持部材２１の各溝部２１ａは、対向する側面２ａ，２ｂにおいて、互いに対向する位置に設けられている。
【００２１】
一方の側面２ａは、上記ハンガー支持部材２１の下側に、幅方向に沿って分岐管２２が設けられている。この分岐管２２は、容器本体２の外部から有機溶媒を供給または排出するための給排管２２ａが設けらている。また、この分岐管２２は、容器本体２内に向けて、容器本体２の幅方向に沿って等間隔で複数の有機溶媒給排口２２ｂが設けられている。この有機溶媒給排口２２ｂは、ハンガー４にゲルシート５を吊り下げて各溝部２１ａにハンガー４をセットした状態で、容器本体２内に収納される各ゲルシート５の間隙、またはゲルシート５と容器本体２との間隙に位置するように設けられている。
【００２２】
また、他方の側面２ｂは、底部近傍の位置に、幅方向に沿って分岐管２３が設けられている。この分岐管２３には、容器本体２の外部から有機溶媒を供給および排出するための給排管２３ａが設けらている。また、この分岐管２３には、容器本体２内に向けて、容器本体２の幅方向に沿って等間隔で複数の有機溶媒給排口２３ｂが設けられている。この有機溶媒給排口２３ｂは、ハンガー４にゲルシート５を吊り下げて溝部２１ａにハンガー４をセットした状態で、容器本体２内に収納される各ゲルシート５の間隙、またはゲルシート５と容器本体２との間隙に位置するように設けられている。なお、図３および図４に示すように、有機溶媒給排口２２ｂ、２３ｂはゲルシートの間隙に一つずつ設けられているが、特に一つずつ設けられたものに限定されるものではなく、各ゲルシート５の間隙、またはゲルシート５と容器本体２との間隙に二つ以上の有機溶媒給排口２２ｂ、２３ｂが位置するように複数の有機溶媒給排口２２ｂ、２３ｂが所定の間隔で設けられたものであってもよい。また、逆に有機溶媒給排口２２ｂ、２３ｂが等間隔で設けられ、ゲルシート５を吊り下げたハンガー４が、所定の間隔で設けられることによって、各ゲルシート５の間隙、またはゲルシート５と容器本体２との間隙に二つ以上の有機溶媒給排口２２ｂ、２３ｂが位置するように構成されたものであってもよい。
【００２３】
これにより、有機溶媒は、下方の有機溶媒給排口２３ｂから各ゲルシート５の両面で面に沿って供給し、上方の有機溶媒給排口２２ｂから排出することによって、容器本体２内に循環流を形成することができる。なお、有機溶媒は、上方の有機溶媒給排口２２ｂから供給して下方の有機溶媒給排口２３ｂから排出して循環流を形成するものであってもよい。
【００２４】
この容器本体２の上面開口部２０には、蓋体３と接続するためのフランジ面２４が形成されている。このフランジ面２４には断面溝型のクランプ部材２５が設けられている。このクランプ部材２５は、対向する一方の側面２５ａがフランジ面２４に対して接近または離隔できるように回動可能に連結されている。他方の側面２５ｂには、押圧面を有するネジ部材２６が螺合するように構成されている。すなわち、クランプ部材２５は、フランジ面２４から離隔した状態で、このフランジ面２４上に蓋体３を設けた後、回動させてフランジ面２４に接近させた後、ネジ部材２６を上方の側面２５ｂから螺合して蓋体３の上面をフランジ面２４上に押圧して容器本体２内を蓋体３で密閉できるようになされている。
【００２５】
蓋体３は、フランジ面２４と合致して開口部２０を閉塞することが可能な板状に形成されている。この蓋体３と容器本体２のフランジ面２４との間には、シール材（図示省略）を介在させて密閉する。
【００２６】
ハンガー４は、その両端が、ハンガー支持部材２１の溝部２１ａに納まる断面形状に形成され、上記した容器本体２の対向する側面２ａ，２ｂに設けたハンガー支持部材２１の溝部２１ａ間に架け渡すことが可能な長尺の長さの棒状に形成されている。このハンガー４の上側には、取っ手４１が設けられている。また、ハンガー４の下側には、等間隔で複数のフック４２が設けられている。これらフック４２にゲルシート５を係止させることで、ハンガー４の下側にゲルシート５を吊り下げることができるようになされている。
【００２７】
なお、本実施の形態では、幅５００ｍｍ、長さ１０００ｍｍのゲルシート５を横並びに２枚吊り下げるようになされているが、このゲルシート５は、本実施の形態のように２枚横並びでなく、１枚を吊り下げるものであってもよい。ただし、この置換洗浄容器１は、ゲルシート５の面に沿って有機溶媒を供給循環するように構成しているため、容器本体２内にゲルシード５を吊り下げた状態でゲルシート５と容器本体２との間に余分な間隙が形成されすぎると、ゲルシート５の面に沿った有機溶媒の流れが阻害される可能性があるため、ゲルシート５を収納した大きさに略合致する容器本体２の大きさとしておくことが好ましい。
【００２８】
また、本実施の形態において、容器本体２の大きさとしては、特に限定されるものではなく、その内部に収納されるゲルシート５の大きさに応じて形成された各種大きさのものを使用することができる。
【００２９】
なお、ゲルシート５は、低融点と高融点の２種類の繊維が絡み合った繊維体にゾル溶液を含浸させた後、ゾル溶液を加水分解して得られる。この状態で、ゲルシートは、低融点繊維が溶融した場所にエアロゲル前駆体が生じ、高融点繊維の繊維体にエアロゲル前駆体を担持した状態となり、加水分解の際の加熱で溶融した低融点繊維は、ゲルシート５全体に残渣が分散した状態で保持されている。また、加水分解の際に発生した水分もゲルシート５全体に分散した状態で保持されている。
【００３０】
この置換洗浄容器１は、熱伝導加熱可能な金属で構成され、底部から電磁加熱する際にも対応することができるようになされている。
【００３１】
次に、この置換洗浄容器１を使用した置換洗浄装置１０について説明する。
【００３２】
この置換洗浄装置１０は、有機溶媒タンク６と、洗浄後の有機溶媒を蒸留再生する蒸留再生装置７とを具備して構成される。
【００３３】
有機溶媒タンク６は、置換洗浄容器１の上部の給排管２２と下部の給排管２３とにそれぞれ接続され、有機溶媒タンク６からの有機溶媒を置換洗浄容器１内に供給循環させることができるようになされている。有機溶媒としては、ゲルシート５に含まれる水分を洗浄置換することができ、低融点繊維の反応残渣を溶解して洗浄除去することができるものが使用される。具体的には使用する低融点繊維によっても異なるが、メタノール、エタノール、１−プロパノール、２−プロパノール、１−ブタノール、アセトン、アセトニトリル、ヘキサン、ベンゼン、トルエン、ジエチルエーテル、クロロホルム、酢酸エチル、テトラヒドロフラン、塩化メチレン、Ｎ，Ｎ−ジメチルホルムアミド、ジメチルスルホキシド、酢酸、およびギ酸などの各種有機溶媒が使用される。
【００３４】
蒸留再生装置７は、有機溶媒タンク６との間に接続され、有機溶媒タンク６内の有機溶媒を蒸留再生した後、再度有機溶媒タンク６に戻すように構成されている。
【００３５】
次に、この置換洗浄装置１０を用いたゲルシート５の置換洗浄について説明する。
【００３６】
まず、上記したゲルシート５の上辺近傍をハンガー４のフック４２に突き刺し、ハンガー４の下側にゲルシート５を吊り下げた状態とする。
【００３７】
このハンガー４の両端部分を、容器本体２内のハンガー支持部材２１の溝部２１ａに嵌め込んで、容器本体２内にゲルシート５を吊り下げた複数のハンガー４をセットする。これにより、隣接するゲルシート５との間に間隙を設けた状態で複数枚のゲルシート５を容器本体２内に収納した状態とする。
【００３８】
容器本体２のフランジ面２４にシール材（図示省略）を介して蓋体３を設け、クランブ部材２５で圧接固定する。
【００３９】
この状態にしてから置換洗浄を開始する。
【００４０】
置換洗浄は、有機溶媒タンク６からの有機溶媒を、容器本体２の他方の側面２ｂの下方の有機溶媒給排口２３ｂから容器本体２内に供給し、上方の有機溶媒給排口２２ｂから排出することによって、容器本体２内に、ゲルシート５の面に沿った循環流を形成して行う。なお、容器本体２内に有機溶媒が充填された状態で、有機溶媒の供給および排出を止め、繊維体を構成する低融点繊維の融点以上の温度まで有機溶媒を加熱して一定時間放置し、熱対流による洗浄を行う。この加熱は置換洗浄容器１の底部に電磁加熱器（図示省略）を設けておき、置換洗浄容器１全体を底部からの電磁加熱によって加熱することによって行うことができる。この加熱洗浄により、低融点繊維の反応残渣を置換洗浄することができる。加熱洗浄後は、再度有機溶媒の供給および排出を行い容器本体２内の有機溶媒を入れ替える。この操作を一定時間毎に数回行って断続的に置換洗浄を行う。
【００４１】
なお、上記では有機溶媒の供給および排出を止めて加熱洗浄し、その後有機溶媒を入れ替えて断続的に置換洗浄を行うようになされているが、有機溶媒タンク６から置換洗浄装置１に到る経路の途中に有機溶媒加熱装置（図示省略）を設け、あらかじめ加熱した有機溶媒を置換洗浄容器１に循環させることによって加熱洗浄するものであってもよい。この場合、有機溶媒の循環流を止めることなく、有機溶媒を常時循環させて連続的に置換洗浄を行うことができる。
【００４２】
上記したように連続的に有機溶媒を循環させた場合であっても、断続的に有機溶媒を循環させた場合であっても、容器本体２内で循環する有機溶媒は、有機溶媒給排口２２ｂおよび有機溶媒給排口２３ｂが各ゲルシート５の間隙またはゲルシート５と容器本体２との間隙に位置するように設けられているので、各ゲルシート５の両面で面に沿って供給し、循環させた後、面に沿って排出させることができる。
【００４３】
したがって、有機溶媒の偏流を生じることなく、各ゲルシート５の両面から均等に置換洗浄を行うことが可能となり、効率の良い置換洗浄を行うことができる。また、各ゲルシート５の面に沿ってやさしく有機溶媒を供給し循環させ、排出することができるので、洗浄によってエアロゲル前駆体の細孔を破壊することなく洗浄することができる。
【００４４】
なお、洗浄後、有機溶媒タンク６に回収された有機溶媒は、蒸留再生装置７で蒸留して水分や低融点繊維の反応残渣を取り除いた後、有機溶媒タンク６に戻されることによって再生される。
【００４５】
図６は上記した置換洗浄容器１を使用した置換洗浄装置１０の他の実施の形態を示している。この置換洗浄装置１１は、有機溶媒タンク６とは別に、蒸留再生装置７で再生した有機溶媒を回収する再生有機溶媒タンク６０をさらに備えている。
【００４６】
有機溶媒タンク６は、置換洗浄容器１の上部の給排管２２と下部の給排管２３とにそれぞれ接続され、有機溶媒タンク６からの有機溶媒を置換洗浄容器１内に供給循環させることができるようになされている。
【００４７】
蒸留再生装置７は、有機溶媒タンク６と再生有機溶媒タンク６０との間に接続され、有機溶媒タンク６内の有機溶媒を蒸留再生した後、再生有機溶媒タンク６０に戻すように構成されている。
【００４８】
この置換洗浄装置１１は、再生有機溶媒タンク６０に貯留していた再生有機溶媒を、有機溶媒タンク６の減量分に応じて有機溶媒タンク６に供給することができる。
【００４９】
すなわち、ゲルシート５に含まれる水分や低融点繊維の反応残渣を、有機溶媒によって置換洗浄すると、ゲルシート５に有機溶媒が吸収されるので、置換洗浄容器１で洗浄する毎に有機溶媒が消費される。したがって、置換洗浄を繰り返し何回も行っていると、有機溶媒タンク６の液量が減量すると同時に、有機溶媒の濃度が低下して来る。しかし、有機溶媒タンク６からの有機溶媒を置換洗浄容器１内に供給循環させている最中に、蒸留再生装置７を稼働させると、有機溶媒タンク６の有機溶媒が無くなってしまうことが懸念されるため、蒸留再生装置７を稼働させることができない。しかし、このような場合に再生有機溶媒タンク６０に貯留しておいた高純度の再生有機溶媒を有機溶媒タンク６に供給すれば、有機溶媒タンク６からの有機溶媒を置換洗浄容器１内に供給循環させている最中であっても、蒸留再生装置７を稼働させて有機溶媒の再生を行うことができる。
【００５０】
なお、本実施の形態において、置換洗浄容器１は、図面上一つしか接続されていないが、複数の置換洗浄容器１を並列接続するようになされたものであってもよい。上記した置換洗浄装置１１は、このように複数の置換洗浄容器１を並列接続した場合のように、有機溶媒の消費と濃度低下が激しくなる場合に特に有効に使用することができる。
【００５１】
有機溶媒タンク６の容量は、接続する置換洗浄容器１の容量や数にあわせて調整される。また、蒸留再生装置７の容量や蒸留段数も、有機溶媒タンク６の容量にあわせて調整される。
【００５２】
図７および図８は、上記した置換洗浄装置１０，１１に乾燥室８をさらに具備して構成した置換洗浄装置１０ａ、１１ａである。
【００５３】
乾燥室８は、図９に示すように、置換洗浄容器１で置換洗浄した後のゲルシート５を乾燥させるためのもので、その内部の天井面には、ラック４の取っ手４１の部分を係止するレール８１が設けられている。このレール８１にラック４の取っ手４１を係止させることによって、乾燥室８内にゲルシート５を吊り下げることができるようになされている。この乾燥室８は、側壁下部に設けた熱風の導入管８２から乾燥室８内に熱風を導入し、この側壁と対向する側壁の上部に設けた排気管８３から排気するように構成されている。この排気中には、上記した置換洗浄容器１で置換洗浄した際に使用した有機溶媒が大量に含まれているため、排気管８３からの排気は、蒸留再生装置７に供給して有機溶媒を回収するようになされている。
【００５４】
なお、上記実施の形態では、熱風乾燥するように構成されているが、乾燥室８内に遠赤外線ヒータやその他の輻射熱加熱装置（図示省略）を設けてゲルシート５を加熱乾燥させるように構成されたものであってもよいし、上記した熱風乾燥と併用するものであってもよい。
【産業上の利用可能性】
【００５５】
本発明に係る置換洗浄容器および置換洗浄装置は、繊維体にエアロゲルを担持させたエアロゲルシートの製造に使用される。
【符号の説明】
【００５６】
１  置換洗浄容器
１０  置換洗浄装置
１０ａ  置換洗浄装置
１１  置換洗浄装置
１１ａ  置換洗浄装置
２  容器本体
２０  開口部
２１  ハンガー支持部材
２２  分岐管
２２ａ  給排管
２２ｂ  給排口
２３ａ  給排管
２３ｂ  給排口
３  蓋体
４  ハンガー
４２  フック（保持部）
５  ゲルシート
６  有機溶媒タンク
６０  再生有機溶媒タンク
７  蒸留再生装置
８  乾燥室
【図１】
2011190548.tif 000003
【図２】
2011190548.tif 000004
【図３】
2011190548.tif 000005
【図４】
2011190548.tif 000006
【図５】
2011190548.tif 000007
【図６】
2011190548.tif 000008
【図７】
2011190548.tif 000009
【図８】
2011190548.tif 000010
【図９】
2011190548.tif 000011